(57)【要約】【課題】本発明の課題は、汚泥掻寄機を備える沈殿池設備において、沈降分離の機能が強化された沈殿池設備を提供することを目的とする。【解決手段】上記課題を解決するために、沈殿池の池底に堆積した汚泥又は沈殿池の水面付近に浮遊するスカムを掻き寄せる汚泥掻寄機と、固形物の沈降を促進する沈降促進部と、を備えた沈殿池設備であって、前記汚泥掻寄機は、汚泥又はスカムの掻き寄せを行うフライトと、前記フライトを支持する無端チェーンとを備え、前記沈降促進部は、前記フライト及び前記無端チェーンによって囲まれた空間内に配置され、沈殿池に導入される被処理水の流れ方向に対して略平行に設置されることを特徴とする、沈殿池設備を提供する。【選択図】図１
2019130492.tif 000002
【特許請求の範囲】
【請求項１】
沈殿池の池底に堆積した汚泥又は沈殿池の水面付近に浮遊するスカムを掻き寄せる汚泥掻寄機と、
固形物の沈降を促進する沈降促進部と、を備えた沈殿池設備であって、
前記汚泥掻寄機は、汚泥又はスカムの掻き寄せを行うフライトと、前記フライトを支持する無端チェーンとを備え、
前記沈降促進部は、前記フライト及び前記無端チェーンによって囲まれた空間内に配置され、沈殿池に導入される被処理水の流れ方向に対して略平行に設置されることを特徴とする、沈殿池設備。
【請求項２】
前記沈降促進部は、被処理水の流れ方向に対して略平行に配置した複数枚の沈降促進板であることを特徴とする、請求項１に記載の沈殿池設備。
【請求項３】
前記沈降促進部は、前記フライト及び前記無端チェーンによって囲まれた空間内において、被処理水の流れ方向に対して下流側に配置されることを特徴とする、請求項１又は２に記載の沈殿池設備。
【請求項４】
前記沈降促進部の長手方向の長さは、前記汚泥掻寄機における前記フライトのピッチ間隔以上であることを特徴とする、請求項１〜３のいずれか一項に記載の沈殿池設備。
【発明の詳細な説明】
【技術分野】
【０００１】
本発明は、沈殿池の池底に堆積した汚泥を掻き寄せるための汚泥掻寄機を備えた沈殿池設備に関するものである。
【背景技術】
【０００２】
下水処理場、廃水処理場、浄水場等の水処理施設では、被処理水中に含まれる汚泥のような固形物の沈降分離を行う沈殿池が設置されている。また、沈殿池には、沈降分離した汚泥を掻き寄せるための汚泥掻寄機が設置されており、掻き寄せられた汚泥は、汚泥ピットに集められて排出管から沈殿池の外部へ排出される。
【０００３】
特許文献１には、汚泥掻寄機を備えた沈殿池設備において、汚泥掻寄機の後段に上向流式傾斜板を設けたものが記載されている。この上向流式傾斜板は、沈降装置として機能するものである。
【先行技術文献】
【特許文献】
【０００４】
【特許文献１】特開２００１−１８７３０３号公報
【発明の概要】
【発明が解決しようとする課題】
【０００５】
本発明の課題は、汚泥掻寄機を備える沈殿池設備において、沈降分離の機能が強化された沈殿池設備を提供することを目的とする。
【課題を解決するための手段】
【０００６】
本発明者は、上記の課題について鋭意検討した結果、汚泥掻寄機を備える沈殿池設備において、汚泥掻寄機のフライトと無端チェーンで囲まれた空間内に沈降促進部を設けることにより、処理能力の高い沈殿池設備が得られることを見出して、本発明を完成した。
すなわち、本発明は、以下の沈殿池設備である。
【０００７】
上記課題を解決するための本発明の沈殿池設備は、沈殿池の池底に堆積した汚泥又は沈殿池の水面付近に浮遊するスカムを掻き寄せる汚泥掻寄機と、固形物の沈降を促進する沈降促進部と、を備えた沈殿池設備であって、汚泥掻寄機は、汚泥又はスカムの掻き寄せを行うフライトと、フライトを支持する無端チェーンとを備え、沈降促進部は、フライト及び無端チェーンによって囲まれた空間内に配置され、沈殿池に導入される被処理水の流れ方向に対して略平行に設置されることを特徴とする。
【０００８】
本発明の沈殿池設備は、汚泥掻寄機を構成するフライトと無端チェーンで囲まれた空間内に沈降促進部を配置するという特徴を有する。沈殿池設備に投入された被処理水は、投入直後に高比重の固形物が沈降し、その後は、ゆっくりと固形物を沈降分離しながら沈殿池設備を通過するため、沈降速度の遅い固形物は汚泥ピットの遠方に沈降する。汚泥ピットの遠方に沈降した固形物は再浮遊しやすく、被処理水の流れ方向の下流側で掻き寄せた汚泥は再浮遊して処理水と共に流出する恐れがある。フライトと無端チェーンで囲まれた空間内に沈降促進部を配置するという本発明の特徴によれば、汚泥ピットに近い領域で固形物の沈降を促進するため、汚泥の掻き取りの際に再浮遊する固形物が被処理水と共に流出することを抑制することができる。
【０００９】
更に、本発明の沈殿池設備は、沈降促進部を被処理水の流れ方向に対して略平行に配置するという特徴を有する。本発明の沈降促進部は、被処理水の水面下に設置された構造物であり、この構造物と被処理水が接する領域では、構造物との摩擦抵抗によって被処理水の流速が低下する。この流速の低下によって、固形物の沈降が促進する。一方で、構造物により被処理水の流れをせき止めると、被処理水の流れが上下方向に乱れて、固形物の沈降を妨げる作用が生じる。本発明の沈降促進部では、構造物が被処理水の流れ方向に対して略平行に配置されるため、被処理水の流れをせき止めることなく沈降を促進することができる。
【００１０】
また、本発明の沈殿池設備の一実施態様としては、沈降促進部は、被処理水の流れ方向に対して略平行に配置した複数枚の沈降促進板であることを特徴とする。
この特徴によれば、沈降促進部として沈降促進板を利用することにより、被処理水が沈降促進部と接する領域が大きくなるため、固形物の沈降を促進するという本発明の効果をより一層発揮することができる。
【００１１】
また、本発明の沈殿池設備の一実施態様としては、沈降促進部は、フライト及び無端チェーンによって囲まれた空間内において、被処理水の流れ方向に対して下流側に配置されることを特徴とする。
この特徴によれば、沈殿池設備に導入した直後の高濃度の固形物を含む被処理水が、直接沈降促進部を通過しないため、沈降促進部の目詰まりを防ぐことができる。
【００１２】
また、本発明の沈殿池設備の一実施態様としては、沈降促進部の長手方向の長さは、汚泥掻寄機におけるフライトのピッチ間隔以上であることを特徴とする。
沈降促進部の上方又は下方にはフライトが通過する領域が形成されるため、沈降促進部が設置されない。沈降促進部は被処理水の流れに抵抗が生じることから、沈降促進部の存在しない流域があると、被処理水が沈降促進部を通過せずに短絡しやすい。沈降促進部の長手方向の長さを汚泥掻寄機におけるフライトのピッチ間隔以上とすることにより、沈降促進部の上方及び下方の両方に常にフライトが掛かる状態となるため、被処理水が沈降促進部を通過せずに短絡することを防止し、汚泥の沈降促進をより確実に行うことが可能となる。
【発明の効果】
【００１３】
本発明によれば、汚泥掻寄機を備える沈殿池設備において、沈降分離の機能が強化された沈殿池設備を提供することができる。
【図面の簡単な説明】
【００１４】
【図１】本発明の第１の実施態様の沈殿池設備の構造を示す概略説明図である。
【図２】本発明の第１の実施態様の沈降促進部の構造を示す概略説明図である（図１のＩ−Ｉ矢視図）。
【図３】本発明の第１の実施態様の沈降促進部の別の態様を示す概略説明図である。
【図４】本発明の第２の実施態様の沈殿池設備の構造を示す概略説明図である。
【図５】本発明の第３の実施態様の沈殿池設備の構造を示す概略説明図である。
【図６】本発明の第３の実施態様の沈降促進部の構造を示す概略説明図である（図５のＩＩ−ＩＩ矢視図）。
【発明を実施するための形態】
【００１５】
本発明の沈殿池設備は、沈殿池の池底に堆積した汚泥又は沈殿池の水面付近に浮遊するスカムを掻き寄せる汚泥掻寄機と、固形物の沈降を促進する沈降促進部と、を備えた沈殿池設備であって、汚泥掻寄機は、汚泥又はスカムの掻き寄せを行うフライトと、フライトを支持する無端チェーンとを備え、沈降促進部は、フライト及び無端チェーンによって囲まれた空間内に配置され、沈殿池に導入される被処理水の流れ方向に対して略平行に設置されることを特徴とするものである。
【００１６】
以下、図面を参照しつつ本発明に係る沈殿池設備の実施態様を詳細に説明する。なお、実施態様に記載する沈殿池、汚泥掻寄機、沈降促進部の構造については、本発明に係る沈殿池設備を説明するために例示したにすぎず、これに限定されるものではない。
【００１７】
［第１の実施態様］
図１は、本発明の第１の実施態様の汚泥掻寄機を備えた沈殿池設備１ａの構造を示す概略説明図である。
図１に示すように、沈殿池設備１ａは、下水処理場や浄水場等の沈殿池１０と、その内部に設置された汚泥掻寄機２０及び固形物の沈降促進部３０を具備する。
【００１８】
［沈殿池］
沈殿池１０は、横長に構成され、図１の左側から汚水等の被処理水が供給される。沈殿地１０の池底１０ａの被処理水供給側の端部には、汚泥ピット１０ｂが設けられ、この汚泥ピット１０ｂには、汚泥を外部に排出するための排出管１０ｃが設けられている。
【００１９】
また、沈殿池１０の略中央部の水面１０ｄ付近には、軸回りに回転可能なスカムパイプからなるスカム排出装置１１が、沈殿池１０の幅方向（紙面垂直方向）の全幅に亘って設けられている。このスカムパイプの上方の周面には軸線方向に延びる開口部が形成され、断面形状がＣ字状を成している。そして、スカムパイプは水面１０ｄに浮遊する浮遊物（スカム）を回収すべく、開口部が水面１０ｄの下に位置するように図１の反時計回りに回転し、その後戻る動作を繰り返す。
【００２０】
［汚泥掻寄機］
汚泥掻寄機２０は、沈殿池１０内を長手方向に周回移動する無端チェーン２２ａを備えている。無端チェーン２２ａは、沈殿池１０の幅方向（紙面垂直方向）に対向して一対が設置されており、この一対の無端チェーン２２ａには、沈殿池１０の幅方向に延びるフライト（掻き寄せ羽根）２３が周回方向に沿って複数配置されている。フライト２３は、一対の無端チェーン２２ａを横架するように取り付けられており、フライト２３の両端部は、無端チェーン２２ａより沈殿池１０の幅方向外側まで延在し、沈殿池１０の側壁近傍に位置している。
【００２１】
無端チェーン２２ａは、図１に示すように、駆動スプロケット２１ａ及び３つの従動スプロケット２１ｂ、２１ｃ、２１ｄに掛け回され、沈殿池１０内を周回移動するように取り付けられている。更に、無端チェーン２２ｂが、駆動スプロケット２１ａと、モータ２４に設けられたモータ用スプロケット２４ａに掛け回されており、モータ２４の動力を無端チェーン２２ａに伝達する。
【００２２】
駆動スプロケット２１ａ及び１つの従動スプロケット２１ｂは水面１０ｄ付近に設置されており、この間に掛けられた無端チェーン２２ａを水面１０ｄに沿って略水平に移動させる。そして、無端チェーン２２ａに取り付けられたフライト２３により、水面１０ｄに浮遊するスカムが上述したスカム排出装置１１に向けて掻き寄せられる。
【００２３】
また、残る２つの従動スプロケット２１ｃ、２１ｄは池底１０ａ付近に設置されており、この間に掛けられた無端チェーン２２ａを池底１０ａに沿って略水平に移動させる。そして、無端チェーン２２ａに取り付けられたフライト２３により、池底１０ａに堆積した汚泥が汚泥ピット１０ｂに掻き寄せられる。汚泥ピッチ１０ｂに集められた汚泥は、排出管１０ｃから沈殿池１０の外部に排出される。
【００２４】
無端チェーン２２ａ、２２ｂの形状は、公知の形状を用いることが可能である。無端チェーン２２ａ、２２ｂの形状としては、例えば、ブッシュドチェーン、ローラチェーン、ノッチ式チェーン等が挙げられる。フライト２３を取り付けるためのアタッチメントを設置しやすいという観点から、ノッチ式チェーンが好ましい。
【００２５】
また、無端チェーン２２ａ、２２ｂの材質は、公知の材質を用いることが可能である。無端チェーン２２ａ、２２ｂの材質としては、例えば、金属製チェーンや樹脂製チェーンが挙げられる。樹脂製チェーンは、軽量であるため、組み立て作業や交換作業が容易になるという利点だけでなく、耐腐食性に優れるため、交換頻度が低下するという利点もある。そのため、本発明において、無端チェーン２２ａ、２２ｂの材質としては、樹脂製チェーンが好ましい。
【００２６】
［沈降促進部］
図２は、本発明の第１の実施態様の沈降促進部３０の構造を示す概略説明図である（図１中のＩ−Ｉ矢視図）。
図２に示すように、沈降促進部３０は、被処理水Ｗの流れ方向に対して略平行に設置された複数の沈降促進板３１からなり、フライト２３及び無端チェーン２ａによって囲まれた空間（以下、「掻寄機内部空間」という。）内に配置されている。被処理水Ｗは、複数の沈降促進板３１の間を通過する際に、沈降促進板３１の板面と接することにより摩擦抵抗が生じるため、板面付近の流速が低下する。この流速の低下によって、固形物の沈降を促進することができる。
【００２７】
また、本発明の沈降促進板３１は、被処理水Ｗの流れ方向に対して略平行に設置される。被処理水Ｗの流速を低下させるために被処理水Ｗをせき止めるように構造物を設置すると、被処理水Ｗの流れが上下方向に変化して、沈降した固形物が再浮遊するという問題がある。しかし、本発明の沈降促進板３１によると、被処理水Ｗの流れ方向に対して略平行に設置されていることから、被処理水Ｗの流れが上下方向に変化せず、固形物の再浮遊を抑制することができる。このような技術的な意義から、本発明における「被処理水の流れ方向に対して略平行に設置される」沈降促進部とは、被処理水Ｗの流速を低下しつつ、被処理水Ｗが通過する際に、被処理水Ｗの流れを上下方向に変化させないような構造物である。つまりは、本発明の沈降促進部は、第１の実施態様のように、被処理水Ｗを直線的に通過させるものだけでなく、被処理水Ｗの流れを水平方向に変化させるものであってもよい。
【００２８】
また、本発明の沈降促進部３０は、フライトと無端チェーンで囲まれた空間内に配置されるため、沈殿池１０の手前側（被処理水Ｗの流れ方向上流側）で固形物の沈降を促進する。これにより、固形物が被処理水Ｗの流れ方向下流側で沈降することを防止し、固形物が処理水と共に沈殿池１０から排出されることを抑制することができる。
【００２９】
沈降促進板３１は、池底１０ａの垂直方向に対して取付角θが略６０°の角度となるように板状部材を傾けて設置する。沈降促進板３１を傾斜して設置することで、沈降促進部３０における有効沈降面積（＝傾斜板長×ｃｏｓθ×傾斜幅）を増加させることができる。これにより、被処理水Ｗの流れを妨げることなく、汚泥の沈降を促進することができる。有効沈降面積を増加させるという観点から、取付角θは、９０°以下であることが好ましく、より好ましくは８０°以下であり、特に好ましくは７０°以下である。一方、取付角θが低くなると、沈降促進板３１に固形物が堆積する恐れがあることから、取付角θは３０°以上であることが好ましく、より好ましくは４０°以上であり、特に好ましくは５０°以上である。
【００３０】
沈降促進板３１の材質は、特に制限されないが、例えば、ステンレス等の金属製や、プラスチック製の板状部材が挙げられる。軽量であり、耐水性に優れるという観点から、プラスチック製の板状部材が好ましい。
【００３１】
沈降促進部３０の形状は、板状部材に限定するものではない。図３は、本発明の第１の実施態様の沈降促進部の別の構造である。図３に示すように、紐状体３２を複数並べた糸状部材や、メッシュ３３を張ったメッシュ状部材や、布を張った布状部材等を沈降促進板３１のように設置してもよい。糸状部材やメッシュ状部材は、被処理水Ｗを透過することから、被処理水Ｗと垂直に設置してもよい。
【００３２】
掻寄機内部空間における沈降促進部３０の配置箇所は、被処理水Ｗの流れ方向上流側とすると、固形物の含有量が多いため、沈降促進部３０で固形物が詰りやすい。したがって、掻寄機内部空間における沈降促進部３０の配置箇所は、被処理水Ｗの流れ方向下流側とすることが好ましい。具体的には、図に示すように、汚泥掻寄機２０において水面１０ｄ付近に設置された最上流側のスプロケット（駆動スプロケット２１ａ）及び最下流側のスプロケット（従動スプロケット２１ｂ）の間の距離に対して上流と下流の２等分したときの下流側の範囲に沈降促進部３０を配置することが好ましい。
【００３３】
［第２の実施態様］
図４は、本発明の第２の実施態様の汚泥掻寄機を備えた沈殿池設備１ｂの構造を示す概略説明図である。
本発明の第２の実施態様の沈殿池設備１ｂは、図４に示すように、沈降促進板３１の長手方向の長さＬ１を汚泥掻寄機２０のフライト２３のピッチ間隔Ｌ２以上としたものである。その他の構成は第１の実施態様と同様である。
この構造によれば、沈降促進板３１の上下方向にフライト２３が常に掛かる形となるため、被処理水Ｗが沈降促進部３０を通過せずに短絡することを防止し、固形物の沈降促進をより確実に行うことが可能となる。
【００３４】
［第３の実施態様］
図５は、本発明の第３の実施態様の汚泥掻寄機を備えた沈殿池設備１ｃの構造を示す概略説明図である。
本発明の第３の実施態様の沈殿池設備１ｃは、図５に示すように、チェーンガイドレール２５ａ、２５ｂを有する汚泥掻寄機２０を具備するものである。その他の構成は第１の実施態様と同様である。
【００３５】
チェーンガイドレール２５ａ、２５ｂは、水面１０ｄ及び池底１０ａにおいて水平方向に通過する無端チェーン２２ａを水平方向に維持するためのものである。
このチェーンガイドレール２５ａ、２５ｂによれば、特に汚泥掻寄機２０の水面側の無端チェーン２２ａがたるむことがないため、無端チェーン２２ａと沈降促進部３０の接触による沈降促進部３０の破損または無端チェーン２２ａの脱落等のトラブルを防止することが可能となる。また、図６に示すように、周回する無端チェーン２２ａの内側にも沈降促進部３０を設けることが可能となり、被処理水Ｗが沈降促進部３０を通過せずに短絡することを防止することができる。
【００３６】
具体的には、図５に示すように、汚泥掻寄機２０において、駆動スプロケット２１ａ及び１つの従動スプロケット２１ｂの間に、無端チェーン２２ａを水面１０ｄに沿って略水平に移動させるためのチェーンガイドレール２５ａが設置されている。
また、残る２つの従動スプロケット２１ｃ、２１ｄの間にも、無端チェーン２２ａを池底１０ａに沿って略水平に移動させるためのチェーンガイドレール２５ｂが設置されている。
【００３７】
なお、チェーンガイドレールは、水面１０ｄ側及び池底１０ａ側の両方に設置されているが、水面１０ｄ側のみに設置してもよい。また、駆動スプロケット２１ａ及び従動スプロケット２１ｂの間、従動スプロケット２１ｃ及び２１ｄの間の全域に設けられているが、少なくとも沈降促進部３０の上に設置されていればよい。
【００３８】
なお、チェーンガイドレール２５ａ、２５ｂの材質は、特に制限されないが、例えば、ステンレス等の金属や、超高分子量ポリエチレン等の樹脂等を使用することができる。無端チェーン２２ａと同じ材質であってもよく、異なる材質であってもよい。ただし、チェーンガイドレール２５ａ、２５ｂと無端チェーン２２ａが当接して摺動することを考慮して材質を選択することが好ましい。強度を考慮してステンレス等の金属製のチェーンガイドレールとし、無端チェーン２２ａとの摺動部に超高分子量ポリエチレン等の樹脂製の摺動部を設けることが好ましい。
【００３９】
なお、上述した実施態様は沈殿池設備の一例を示すものである。本発明に係る沈殿池設備は、上述した実施態様に限られるものではなく、要旨を変更しない範囲で、上述した実施態様に係る沈殿池設備を変形してもよい。
【００４０】
例えば、本実施態様の沈殿池設備における沈降促進部は、複数枚の沈降促進板を１ユニットとし、複数のユニットを被処理水の流れ方向に沿って配置するものとしてもよい。また、ユニット同士は同じ取付角で設置したものであってもよく、ユニットごとに取付角を異なるものとしてもよい。
複数のユニットの取付角を同じ角度にすると、複数のユニット間で固形物の沈降する方向が同じ方向になるため、固形物を安定して沈降させることができる。よって、被処理水の流れの乱れにより再浮遊しやすいような小さい粒子を沈降させる場合に適している。
一方、複数のユニットの取付角を異なる角度にすると、後段のユニットにおいて、さらに被処理水の流速が低下し、固形物の沈降をより促進することができる。よって、被処理水の流れが多少乱れても影響しないような大きい粒子を素早く沈降させる場合に適している。
【００４１】
また、本実施態様の沈殿池設備は、汚泥掻寄機２０の後段に従来の上向流式傾斜板を設けるものとしてもよい。これにより、沈殿池の機能をより向上させることが可能となる。
【産業上の利用可能性】
【００４２】
本発明の沈殿池設備は、例えば、下水処理場、廃水処理場、浄水場等において、汚泥のような固形物を含む被処理水の処理に利用される。
【符号の説明】
【００４３】
１ａ，１ｂ，１ｃ  沈殿池設備、１０  沈殿池、１０ａ  池底、１０ｂ  汚泥ピット、１０ｃ  排出管、１０ｄ  水面、１１  スカム排出装置、２０  汚泥掻寄機、２１ａ  駆動スプロケット、２１ｂ，２１ｃ，２１ｄ  従動スプロケット、２２ａ，２２ｂ  無端チェーン、２３  フライト、２４  モータ、２４ａ  モータ用スプロケット、２５ａ，２５ｂ  チェーンガイドレール、３０  沈降促進部、３１  沈降促進板、３２  紐状体、３３  メッシュ、Ｌ１  沈降促進板の長手方向の長さ、Ｌ２  フライトのピッチ間隔、Ｗ  被処理水
【図１】
2019130492.tif 000003
【図２】
2019130492.tif 000004
【図３】
2019130492.tif 000005
【図４】
2019130492.tif 000006
【図５】
2019130492.tif 000007
【図６】
2019130492.tif 000008